【手続補正書】
【提出日】平成17年3月14日(2005.3.14)
【手続補正１】
【補正対象書類名】明細書
【補正対象項目名】全文
【補正方法】変更
【補正の内容】
【書類名】      明細書
【発明の名称】  ゴミを持ち帰らない買物用のシステムキャリーとシステムバスケット
【特許請求の範囲】
【請求項１】
買物の際に購入した（又は購入途中の）食料品や品物を積み、そして持ち帰るキャリーで。購入する商品や食料品、その中で包装を省いて購入する事に対応出来る食料品。（例食料品−野菜、鮮魚精肉、生玉子、食パン、天ぷら、揚物、熱い食品、汁物、その他の包装を省いて持ち帰る事に対応出来る食料品など）は包装なしで食料品その物だけを入れれる事を前提とした入れ物（ケース、容器）を各種の食料品（例食料品−野菜、鮮魚、精肉、生玉子、食パン、天ぷら、揚物、熱い食品、汁物、その他の包装を省いて持ち帰る事に対応出来る食料品）を入れる事に対応出来る入れ物（ケース、容器）を用意し。それらの容器を一つにまとめ、キャリーに搭載した事を特徴とした買物用のシステムキャリーとしたもの。
【請求項２】
本考案内容の図面の簡単な説明図１タイプへ組込む買物用のシステムキャリー専用に使用する（例  図３、図４、図５、図６、図７、図８に使用している）図１へ組み込むケース用出し入れ用補助取手の符号の１９。
【請求項３】
買物の際に購入した（又購入途中の）食料品や品物を入れ持ち帰る手提げカゴで手提げカゴに、包装を省いて持ち帰る事に対応出来ない食料品区分〔例食料品−包装される事により保存期間を長期に保たせる事も目的としている保存対応食品など（菓子、カンズメ、雑貨食品などその他の包装を省いて持ち帰る事に対応出来ない食料品）〕を入れる事が出来るスペースと、包装を省いて持ち帰る事に対応出来る食料品〔包装を省ける食料品例−鮮魚、精肉、惣菜、汁物、食パン、など（その他包装を省いて持ち帰る事に対応出来る食料品）〕の食料品を包装なしで、それら各種の食料品（包装を省き持ち帰る事に対応出来る食料品）を食料品その物だけを入れる事が出来る事を前提とした入れ物（ケース、容器）を用意し、それら入れ物（ケース、容器）を一つにまとめ、セットする区分を設け。包装を省き持ち帰る事に対応する事が出来ない食料品と、各種の包装を省き持ち帰る事に対応出来る食料品を入れ物（ケース、容器）に入れ持ち帰れる事を特徴とした買物用のシステムバスケットとしたもの。
【請求項４】
請求項３で請求している内容の特徴を有する、名称「買物用のシステムバスケット」（本考案の内容で使用している名称）をキャリー体（キャリー体例図は図１２です。）に取り付けたり取り外したり出来る用にして使用する事を特徴とし。請求項３で請求している内容の特徴を有する買物用のシステムバスケットをキャリー体に取り付けて使用する事で買物用（請求項３で請求している内容の特徴を有する）のシステムキャリーとして使用する事が出来。キャリー体（キャリー体例図は図１２です。）から請求項３で請求している内容の特徴を有する買物用のシステムバスケットを取り外して使用する事により、請求項３で請求している内容の特徴を有する買物用のシステムバスケットとして使用する事が可能になる事を特徴とした買物用のシステムバスケットのキャリー体（キャリー体例図は図１２です。）への脱着使用の可能型の買物用のシステムキャリー（全体例図は図１７）としたもの。
【請求項５】
請求項４で請求している内容の「買物用のシステムバスケットの脱着使用の可能型の買物用のシステムキャリー」として使用する用途以外の他の荷物（本考案の請求項３で請求している内容の特徴を有する、買物用のシステムバスケット以外の物）をキャリー体（例キャリー体例図は図１２）に本考案の内容の荷物受け用金具〔例内容は、荷物受け用金具（図１３と図１４）で本考案では請求項３で請求している内容の買物用のシステムバスケット受け用の金具として使用〕を用いての荷物の脱着可能の使用方式にあたるキャリーとしての使用方法で、例の荷物の脱着可能の使用方法は図１２のキャリー体に図１４の符号４６を図１２のキャリー体符号の４３、４４への抜き差しで、図１２のキャリー対に図１３の符号４５の荷物受け用金具（本考案では請求項３で請求している内容の買物用のシステムバスケット受け用金具として使用）を脱着する事により荷物（本考案では請求項３で請求している内容の買物用のシステムバスケット）をキャリー体（例キャリー体図は図１２）への脱着可能に出来る事を特徴とする荷物を荷物受け用金具でキャリー体への脱着可能の使用が出来る事を可能になるキャリーとしたもの。
【発明の詳細な説明】
【０００１】
【発明の属する技術分野】
買物の際に購入した食料品や品物を積み持ち帰るキャリーとバスケットで。
購入した食料品を（包装を省き持ち帰れる事に対応出来る食料品は）包装をなしで食料品その物だけを入れれる事を前提とした入れ物（ケース、容器）を、その入れる食料品の特徴に対応出来る（例−入れる事が出来る、食品の漏れやこぼれが起こる様な事がない、後々使用されるであろう使用用途に対応出来る）機能の入れ物（ケース、容器）を各種の食料品（例−野菜、鮮魚、精肉、生玉子、食パン、天ぷら、揚物、熱い食品、汁物、その他の包装を省いて持ち帰る事に対応する事が出来る食料品）を入れる事が出来る入れ物（ケース、容器）を用意し、一つにまとめ一体のキャリー体に搭載した買物用のシステムキャリーとしたもの。
又は、その機能〔包装を省き持ち帰れる事に対応出来る各種の食料品を入れる事が出来る各種の食料品の特徴に適し対応出来る機能（例−入れる事が出来る、漏れやこぼれが起こる様な事がない、入れる様々な食料品を想定してそれらを入れる事が出来るなど）の入れ物（ケース、容器）を用意し、包装を省き持ち帰る事に対応出来る食料品と包装を省き持ち帰る事に対応出来ない食料品の料品種とも持ち帰れる事が出来る機能〕をバスケット（手提げカゴ）に搭載した買物用のシステムバスケットとしたもの。
そして、その機能を有する上記の買物用のシステムバスケットをキャリー体に脱着可能な形で搭載する事により、買物用のシステムバスケットとしても買物用のシステムキャリーとしても使用出来る形にし、脱着可能な事で使用者の使用用途に応じ買物をした物の持ち運びが便利になる形が取れ様になる買物用のシステムバスケットのキャリー体への脱着使用の可能型の買物用のシステムキャリーとしたもの。
【０００２】
【従来の技術】
荷物を運ぶキャリーや、スーパー内などで購入品を運ぶワゴンや、普通の手提げカゴ、バスケットは有ります。
【０００３】
【発明が解決しようとする課題】
買物の際に食料品包装用の紙プラ容器、袋など（安易にゴミに成っている物）を使わずに、食料品その物だけを受け取り、色々有る食料品をどうして持ち帰れば良いのか。
【０００４】
【課題を解決するための手段】
買い入れる食料品の包装をしなく、食料品その物だけを入れれる事を前提にした食料品入れ物（ケース、容器）を各種食料品〔包装を省いて持ち帰る事に対応出来る食料品（食料品例−鮮魚、精肉、惣菜、汁物、天ぷら、揚物、生玉子、食パン、熱い食料品、その他の食料品など）〕の入れ物〔その入れる食料品の特徴に対応出来る機能（例−入れる食料品の品質を損なわない、食品の汁や食品が漏れたりこぼれたりしない、食品の熱や成分で変形などしない、又食品購入後に後々使用するであろう使用用途にも対応出来る）のケース、容器〕を作成用意し。それらを一つにまとめ一体のキャリー体やバスケットに搭載し買物用のシステムキャリーや買物用のシステムバスケットとして買物に用いる。
上記の買物用のシステムキャリーやシステムバスケットは包装を省いて持ち帰る事に対応出来る食料品を積むだけではなく包装を省き持ち帰る事が出来ない食料品（例−菓子、カンズメ、雑貨食品などで包装により保存期間を長期に保たせる事も目的とした保存対応食品）も積む区分も持っている物である。
※備考として、本考案の内容で包装を省き持ち帰る事に対応する事が出来る食料品を入れる入れ物（ケース、容器）は消費者や商品の流通やリサイクルの面から考え材質はリサイクルを安易に出来やすくなる統一された材質にする事を考えたり、消費者が入れ物（ケース、容器）を取り替えたり、組み替えたり出来る利便性や性能を後々まで保つために、この考案の内容で使用する入れ物（ケース、容器）は、この考案用の入れ物としてある程度、入れ物の大きさを定める事を考える事も必要であると考える。又、本考案の内容で使用する入れ物（ケース、容器）には洗浄時の節水を求める為に入れ物に「節水」の表記を示す事も必要で重要であると考える。
【０００５】
【発明の実施の形態】
本考案の実施形態は図面に基づき説明する。
図１は本考案の実施形態を買物用のシステムキャリー（タイプ）として実施した場合の、買物用のシステムキャリー本体例としてキャリーカゴ棚タイプで製作した例の買物用のシステムキャリー本体の斜視図で各種の食料品用の（その入れる食料品の特徴に合った機能の）入れ物（ケース、容器）が組み込まれていない図です。
図２、図３、図４、図５、図６、図７、図８、図９は本考案の内容で用意したい各種の食料品用の（その入れるであろう想定される食料品の特徴に合った機能の）入れ物（ケース、容器）の例図です。
入れ物（ケース、容器）例図の図１への組み込み手段は図２は５へ入れ込み、図３、図４、図５、図６は６、７、８、９へ１から１から入れ込み図８は１１へ１から入れ込み、図９も１２へ１から入れ込む。
図１０は本考案の実施形態を買物用のシステムバスケット（タイプ）で実施した場合のバスケットカゴ本体例図で。
図１１は本考案の実施形態を買物用のシステムバスケット（タイプ）として実施した場合の、買物用のシステムバスケットに各種の食料品用入れ物（包装を省き持ち帰る事に対応出来る食料品の包装を無くし、食料品その物だけを持ち帰れる様に用意したケース、容器）例容器の３６、３７、３８、３９、４０をセットしたシステムバスケット全体例図です。（３６、３７、３８、４０のケース、容器はバスケット内で使用者の使用方法に応じて組み替える事が出来ます）
図１２は本考案の実施形態を買物用のシステムバスケットのキャリー体への脱着使用可能型の買物用のキャリー（タイプ）として実施した場合の買物用のシステムバスケットを脱着する事に使用するキャリー体本体例図で買物用のシステムバスケットを装着していない図です。
図１３は買物用のシステムバスケットを受けてキャリー体に買物用のシステムバスケットを脱着可能に装着する金具でこの金具に買物用のシステムバスケットを乗せ図１４の符号４６で符号４３、４４にジョイントし買物用のシステムバスケットをキャリー体に装着します。
図１７は本考案の実施形態を買物用のシステムバスケットの脱着使用の型の買物用のキャリー（タイプ）で実施した場合の買物用のシステムバスケットをキャリー体に装着された買物用のシステムバスケットの脱着使用の可能型の買物用のキャリーの全体例図です。
図１７の買物用のシステムバスケットの脱着使用の型の買物用のキャリー体で買可能型の買物用のシステムキャリー体の買物用のシステムキャリー体として使用してもよく、図１５（図１１と同じ本考案の請求項３の内容の特徴を有する物）だけで使用の買物用のシステムバスケット体として使用してもよい、車などに図１７として乗せる場合に車に乗せるスペースがない場合は図１７から図１６を取り外し車に乗せる事が出来る様になり、図１７の型で使用していて両手を使用しなければいけない時など符号４２で背中に背負う形で持ち運びする事が出来ます。図１７と図１６、図１５と符号４２で使用者の使い方に応じた使用方法が取れる事が出来ます。
【０００６】
種食品用ケース例図の説明。
図２は生物用なので保冷の利く、１３にし中に１４、１５（鮮魚と精肉入れ用ケース）を入れ１５と保冷用氷が触れない様に１６を入れる。
図３は１８に図１への出し入れを安易に行う事が出来る様に１８に１９を付ける。
図４は熱い物用なので、耐熱性の容器で汁物にも対応し２１汁漏れしないジョイントパッキンにし、冷めない様に保温力の有る容器にしても良く２０の図１への出し入れを安易に行う事が出来る様に２０に１９を付ける。
図５は天ぷら、揚物の品質がべたべたして行きそこなわれない様に２４を２８中の底（ケース底）に敷き２２を保温力の有る容器にしても良く、２２の図１への出し入れを安易に行う事が出来る様に２２に１９を付ける。
図６は汁漏れがしない様に２６汁漏れのしないジョイントパッキンにし２５を保温力の有る容器にしても良く、２５の図１への出し入れを安易に行う事が出来る様に２５に１９を付ける。
図７の２７は２０、２２、２５のケースより、大きくなっており２７の図１への出し入れを安易に行う事が出来る様に２７へ１９を付ける。
図８は、食パン底が湿気をおびない様に２８の中に２９を敷き、本図の大きさは食パン一本用だが２斤用、１斤用と選び作り、２８の図１への出し入れを安易に行う事が出来る様に２８へ１９を付ける。
図９の３０は大きな野菜（例−白菜、キャベツ、大根など）が入る大きさにし、３１は野菜の出し入れが安易に行なう事が出来る高さにする。
３２は、既存のプラスチック製のカゴタイプでも良く、後々リサイクル処理出来る素材が良いとする。
３３は、各種食料品用の入れ物（包装を省き持ち帰れる事に対応出来る食料品の包装を無くし、食料品その物だけを持ち帰れる様に用意したケース、容器）用区分と、包装を省けない食品（例−菓子、カンズメ、雑貨食品などの包装をする事により保存期間が長期に保たれる保存も目的とされる保存対応食品と他の包装を省き持ち帰る事に対応出来ない食料品）用区分に区分けする仕切り。
３４は、各種食料品用の入れ物（ケース、容器）用区分として使用。３５は、３４を取った残りのスペースで、３４より大きめに取っても良く、包装を省けない食品及び野菜などを入れる区分です。
３６は、各種食料品用の入れ物（ケース、容器）のケース例の、熱い食品対応用としてケース内容例図は図４として、それに（バスケットタイプ対応なので）１９を取り付けないタイプのケース、容器です。
３７は、ケース例を、天ぷら、揚物、対応用ケースとして、ケース内容例図は図５として、それに（バスケットタイプ対応なので）１９を取り付けないタイプのケース、容器です。
３８は、ケース例を、汁物対応用ケースとしてケース内容例図は図６として、それに（バスケットタイプ対応なので）１９を取り付けないタイプのケース、容器です。
３９は、ケース例を、その他の食品用ケースとして、３８を転用し使用する形としておきます。
４０は、ケース例を、食パン用ケースとして、ケース内容例図は図８として、（バスケットタイプ対応なので）１９を取り付けないタイプのケースにし大きさは、２斤用、１斤用作れます。しかし、その他の食品（その他のパンなども）にも対応出来る様に２斤用の大きさが良いかもしれません。
【図面の簡単な説明】
【図１】本考案の実施形態を買物用システムキャリータイプの本体例をカゴ棚タイプとして製作した場合の斜視図で各種食料品用の入れ物（ケース、容器）が組み込まれていない図です。
図２から図３、図４、図５、図６、図７、図８、図９までのそれらの図は本考案の内容で用意したい各種食料品用の入れ物（ケース、容器）の例図です。
【図２】鮮魚、精肉を入れる入れ物例図の断面図
【図３】生玉子用受皿タイプ入れ物例図の上面図
【図４】熱い食品用ケース例図の立体断面図
【図５】天ぷら、揚物用ケース例図の立体断面図
【図６】汁物対応用ケース例図の立体図
【図７】その他の食品用ケース例図の立体図
【図８】食パン用ケース（一本分用）例図の立体図
【図９】野菜用ケース例図の立体図
【図１０】買物用のシステムバスケットの各種の食料品を入れる用の入れ物（ケース、容器）をセットしていないカゴ本体例図です。
【図１１】買物用のシステムバスケットカゴ本体に各種の食料品を入れる用の入れ物（ケース、容器）をセットした、買物用のシステムバスケット本体例図です。
【図１２】買物用のシステムバスケットを装着していない買物用のシステムバスケットの脱着使用の可能型の買物用のシステムキャリーのキャリー体の斜視図です。
【図１３】買物用のシステムバスケット受け用金具でキャリー体への脱着可能の装着用の金具の立体図です。
【図１４】買物用のシステムバスケット受け用金具でキャリー体への脱着可能の装着用の金具（図１３と同じ金具）のキャリー体への装着部面の立体図です。
【図１５】は図１１と同様の本考案の請求項３で請求している内容の特徴を有した買物用のシステムバスケットの全体図です。
【図１６】買物用のシステムバスケット（図１５）をキャリー体への脱着可能の装着用の金具（図１３）に装着した図です。
【図１７】買物用のシステムバスケット（図１５）をキャリー体（キャリー体例図は図１２です。）の買物用のシステムバスケットを装着する上段装着部と下段装着部に買物用のシステムバスケットを装着した買物用のシステムバスケットのキャリー体（キャリー体例図は図１２）への脱着使用の可能型の買物用のシステムキャリーの全体例図です。
【符号の説明】
１    キャリー正面図
２    カゴ棚
３    正面部、ケーススベリ落防止受
４    側面部、ケーススベリ落防止受
５    図２を組込む棚
６  ７  ８  ９は図３、図４、図５、図６、いずれかを入れ込む棚
１０  図７を組込む棚
１１  図８を組込む棚
１２  図９を組込む棚
１３  クーラーボックスタイプ本体
１４  １５、鮮魚か精肉入れ用ケース例
１６  ケースと氷を離す仕切り例
１７  保冷用氷例
１８  生玉子受皿例（２０個用）本体
１９  図１へ組込ケース用出し入れ用補助取手
２０  熱い食品用ケース例本体
２１  図４ケース用汁漏れのしないジョイントパッキン
２２  天ぷら、揚物用ケース例本体
２３  図５ケース用汁漏れのしないジョイントパッキン
２４  油切用中敷例
２５  汁物対応用ケース例本体
２６  図６ケース用汁漏れのしないジョイントパッキン
２７  その他の食品用ケース例本体
２８  食パン用ケース例（一本分用）本体
２９  食パン底湿気防止用中敷例
３０  野菜用ケース例・本体
３１  野菜出し入れ開口部
３２  手提げカゴ本体
３３  食品区分け用仕切り
３４  各種食料品用ケース区分
３５  保存用食品（包装を省けない食品）用区分
３６  ケース例熱い食品用入れ物（ケース、容器）
３７  ケース例天ぷら揚物対応用入れ物（ケース、容器）
３８  ケース例汁物対応用入れ物（ケース、容器）
３９  ケース例その他の食品用入れ物（ケース、容器）
４０  ケース例食パン用入れ物（ケース、容器）
４１  キャリー体本体
４２  キャリー体背負い用ショルダーバンド
４３  上段部買物用のシステムバスケット装着部で買物用のシステムバスケット脱着可能装着用の金具取り付けホルダー部
４４  下段部買物用のシステムバスケット装着部で買物用のシステムバスケット脱着可能装着用の金具取り付けホルダー部
４５  買物用のシステムバスケット受け用金具で買物用のシステムバスケットをキャリー体へ脱着可能の装着用の金具の本体
４６  買物用のシステムバスケット脱着可能の装着用の金具取り付けホルダーへ差し込み買物用のシステムバスケット受け用金具でキャリー体への買物用のシステムバスケット脱着可能の装着用の金具をキャリー体へ装着するための差し込み金具部
４７  買物用のシステムバスケット本体
【手続補正２】
【補正対象書類名】図面
【補正対象項目名】図１２
【補正方法】追加
【補正の内容】
【図１２】
2004160121.tif 000001
【手続補正３】
【補正対象書類名】図面
【補正対象項目名】図１３
【補正方法】追加
【補正の内容】
【図１３】
2004160121.tif 000002
【手続補正４】
【補正対象書類名】図面
【補正対象項目名】図１４
【補正方法】追加
【補正の内容】
【図１４】
2004160121.tif 000003
【手続補正５】
【補正対象書類名】図面
【補正対象項目名】図１５
【補正方法】追加
【補正の内容】
【図１５】
2004160121.tif 000004
【手続補正６】
【補正対象書類名】図面
【補正対象項目名】図１６
【補正方法】追加
【補正の内容】
【図１６】
2004160121.tif 000005
【手続補正７】
【補正対象書類名】図面
【補正対象項目名】図１７
【補正方法】追加
【補正の内容】
【図１７】
2004160121.tif 000006